(57)【要約】【課題】  遊戯台において煙草の煙を効率的に吸引でき、更に浄化用の交換フィルタを定期的に容易に交換できる浄化装置を提供する。【解決手段】  遊戯台２の表示画面２ａの上部に設けた吸入窓１９ａ，ｂ及び側面の一方のみに設けた吸入窓１８ａ，ｂから煙草の煙を吸い込むようにし、浄化フィルタ１７の使用状況及び交換時期を制御部１１で認識して表示部１２で表示するようにしているので、特定方向に空気の流れを作って煙草の煙を集めて吸入でき、また、遊技場の従業員は浄化フィルタ１７の使用状況及び交換時期を容易に知ることができる浄化装置である。【選択図】        図２
2007068608.tif 000002
【特許請求の範囲】
【請求項１】
遊戯台における浄化装置であって、
遊戯台の表示画面の上部に設けた吸入窓、前記表示画面の側面の一方のみに設けた吸入窓を備え、空気を吸入するファンと、吸入した空気を浄化する浄化フィルタと、浄化フィルタの交換時期を表示する表示部と、タイマーを用いて浄化フィルタの使用時間を把握し、浄化フィルタの交換時期を表示部に表示させる指示を出力する制御部とを有することを特徴とする浄化装置。
【請求項２】
制御部は、浄化フィルタの使用状況の期間を設定したテーブルを参照し、タイマーの値が前記テーブルの期間を超えた場合に、浄化フィルタの使用状況又は交換時期を表示させる指示を出力し、
表示部は、入力される指示に従って使用状況又は交換時期を表示することを特徴とする請求項１記載の浄化装置。
【請求項３】
制御部は、ファンを1日における特定の時間帯休止するよう電源供給を制御することを特徴とする請求項1又は２記載の浄化装置。
【発明の詳細な説明】
【技術分野】
【０００１】
本発明は、パチンコ、スロット等の遊戯台において、煙草の煙を吸い込んで浄化する浄化装置に係り、特に、遊戯台毎の浄化用のフィルタ交換を容易にする浄化装置に関する。
【背景技術】
【０００２】
パチンコ、スロット等の遊戯台において煙草の煙を吸い込んで浄化する装置は種々提供されている。
例えば、実開平０６−５６８７号公報「パチンコ台用空気清浄機」では、パチンコ台の上部に空気吸い込み口と空気を排出する空気排出口を設け、集塵電極で集塵して送風機で空気を排出するものとなっていた（特許文献１参照）。
【０００３】
また、特開２００４−１２１７７９号公報「煙草の煙吸引機能付き台間機器」では、パチンコ機の台間に煙草の煙吸引機構を備えた台間機器を設置し、吸引口から吸引して後方より排出するものとなっていた（特許文献２参照）。
【０００４】
【特許文献１】実開平０６−５６８７号公報
【特許文献２】特開２００４−１２１７７９号公報
【発明の開示】
【発明が解決しようとする課題】
【０００５】
しかしながら、上記従来の遊戯台における浄化装置には、種々の装置があるが、特許文献１のような装置であれば、構成が大掛かりとなり、頻繁に新台入れ替えを行う業種としては、入れ替えに伴う作業が複雑になってしまうという問題点があった。
【０００６】
また、特許文献２のように、台間に浄化装置を設けるものであれば、入れ替え作業における取り外し、取り付けを行う必要はないが、遊戯台と一体化していないため、台と吸引口が離れており、煙草の煙を吸引されずに拡散してしまうという問題点があった。
【０００７】
また、遊戯台毎に浄化装置を設けた場合に、浄化用フィルタの交換時期について何らかの手法で管理しておく必要があるが、その管理が面倒であるとの問題点があった。
【０００８】
本発明は上記実情に鑑みて為されたもので、遊戯台において煙草の煙を効率的に吸引でき、更に浄化用の交換フィルタを定期的に容易に交換できる浄化装置を提供することを目的とする。
【課題を解決するための手段】
【０００９】
上記従来例の問題点を解決するための本発明は、遊戯台における浄化装置において、遊戯台の表示画面の上部に設けた吸入窓、表示画面の側面の一方のみに設けた吸入窓を備え、空気を吸入するファンと、吸入した空気を浄化する浄化フィルタと、浄化フィルタの交換時期を表示する表示部と、タイマーを用いて浄化フィルタの使用時間を把握し、浄化フィルタの交換時期を表示部に表示させる指示を出力する制御部とを有することを特徴とする。
【００１０】
本発明は、上記浄化装置において、制御部が、浄化フィルタの使用状況の期間を設定したテーブルを参照し、タイマーの値がテーブルの期間を超えた場合に、浄化フィルタの使用状況又は交換時期を表示させる指示を出力し、表示部が、入力される指示に従って使用状況又は交換時期を表示することを特徴とする。
【００１１】
本発明は、上記浄化装置において、制御部が、ファンを1日における特定の時間帯休止するよう電源供給を制御することを特徴とする。
【発明の効果】
【００１２】
本発明によれば、遊戯台における浄化装置であって、遊戯台の表示画面の上部に設けた吸入窓、表示画面の側面の一方のみに設けた吸入窓を備え、空気を吸入するファンと、吸入した空気を浄化する浄化フィルタと、浄化フィルタの交換時期を表示する表示部と、タイマーを用いて浄化フィルタの使用時間を把握し、浄化フィルタの交換時期を表示部に表示させる指示を出力する制御部とを有するものであり、表示画面の前面において、特定方向に空気の流れを作って煙草の煙を集めて吸入でき、遊技場の従業員は浄化フィルタの交換時期を容易に知ることができる効果がある。
【００１３】
本発明によれば、制御部が、浄化フィルタの使用状況の期間を設定したテーブルを参照し、タイマーの値がテーブルの期間を超えた場合に、浄化フィルタの使用状況又は交換時期を表示させる指示を出力し、表示部が、入力される指示に従って使用状況又は交換時期を表示する上記浄化装置としているので、遊技場の従業員は浄化フィルタの使用状況及び交換時期を容易に知ることができる効果がある。
【００１４】
本発明によれば、制御部が、ファンを1日における特定の時間帯休止するよう電源供給を制御する上記浄化装置としているので、営業時間帯以外の時間帯に電力を多く消費するファンを停止して電力を節約できる。
【発明を実施するための最良の形態】
【００１５】
本発明の実施の形態について図面を参照しながら説明する。
［実施の形態の概要］
本発明の実施の形態に係る遊戯台における浄化装置は、遊戯台の表示画面の上部に設けた吸入窓及び側面の一方のみに設けた吸入窓を備え、ファンで空気を吸入し、浄化フィルタで空気の浄化を行うものであって、制御部で浄化フィルタの使用時間を把握し、浄化フィルタの使用状況及び交換時期を表示部に表示するものである。これにより、表示画面の前面において、特定方向に空気の流れを作って煙草の煙を集めて吸入でき、また、遊技場の従業員は浄化フィルタの使用状況及び交換時期を容易に知ることができる。
【００１６】
［全体構成］
本発明の実施の形態に係る遊戯台における浄化装置の概略について図１を参照しながら説明する。図１は、本発明の実施の形態に係る浄化装置の概略図である。
本発明の実施の形態に係る浄化装置（本装置）１は、図１に示すように、パチンコ台又はスロット台等の遊戯台２に取り付けられる構造で、遊戯台２の表示画面２ａの上部と一方の側部（図１では左側部）に設置され、灰皿３に対して吸入口が、上部と側部には吸入窓１８ａ，１８ｂ，１９ａ，１９ｂが、更に遊戯台２の上方に排出口が設けられている。
また、本装置１は、浄化フィルタの交換時期を示す表示部１２を備えている。
【００１７】
［本装置の構成］
本装置１の構成について図２を参照しながら説明する。図２は、本装置の構成概略図である。
本装置１は、図２に示すように、制御部１１と、表示部１２と、電源１３と、吸入口１４と、排出口１５と、ファン１６と、浄化フィルタ１７と、吸入窓１８，１９とを基本的に備えている。
【００１８】
［制御部］
制御部１１は、電源１３から電力の供給を受け、ファン１６ａ，１６ｂを駆動し、浄化フィルタの使用及び交換の時期を報知する表示部１２を点灯させるものである。制御部１１の具体的処理は後述する。
また、制御部１１は、図３に示すように、設定スイッチ１１ａと、処理部１１ｂと、期間設定テーブル１１ｃ′を記憶する記憶部１１ｃと、タイマー１１ｄと、表示部１２，ファン１６，電源１３に接続する接続部１１ｅとを有している。図３は、制御部の構成ブロック図である。
タイマー１１ｄは、浄化フィルタの使用状況及び交換時期を表示部が報知するのに利用される。
接続部１１ｅは、処理部１１ｂの制御によって電源からの電力を表示部１２，ファン１６に供給し、更に、表示部１２，ファン１６を制御する信号を出力する。
【００１９】
処理部１１ｂは、記憶部１１ｃに格納する処理プログラムを読み込んで、処理プログラムを動作可能とする。処理プログラムを予め処理部１１ｂに書き込んでおいて、処理を直ちに実行できるようにしてもよい。
【００２０】
［期間設定テーブル］
期間設定テーブル１１ｃ′は、浄化フィルタの使用状態及び交換時期に対応して、図４に示すように、第１〜ｎまでの期間について特定の期間（日、月又は年）が設定されている。具体的には、「第１の期間」として「１〜１００日」（１００日間）、「第２の期間」として「１０１〜１７０日」（７０日間）、「第３の期間」として「１７１〜２２０日」（５０日間）が設定されている。つまり、第１の期間は、フィルタ交換までまだまだ時間的余裕があることを示し、第２の期間は、フィルタの使用可能な期間の半分近くが終了したことを示し、第３の期間は、フィルタ交換が近いことを示している。図４は、期間設定テーブルの概略図である。
【００２１】
［表示部］
表示部１２は、図２に示すように、第１のＬＥＤ１２ａと、第２のＬＥＤ１２ｂと、第３のＬＥＤ１２ｃを備えており、制御部１１からの点灯指示信号によって各ＬＥＤを点灯させる。
ここで、第１のＬＥＤ１２ａが点灯していることは、期間設定テーブル１１ｃ′における第１の期間が経過して第２の期間となったことを示している。また、第２のＬＥＤ１２ｂが点灯していることは、期間設定テーブル１１ｃ′における第２の期間が経過して第３の期間となったことを示している。また、第３のＬＥＤ１２ｃが点灯していることは、期間設定テーブル１１ｃ′における第３の期間が経過して浄化フィルタ交換時期となったことを示している。
【００２２】
［電源］
電源１３は、ＡＣ電力をＤＣ電力に変換し、制御部１１、表示部１２、ファン１６ａ，１６ｂに電力を供給する。
［吸入口１４］
吸入口１４は、灰皿３の上部に設けられ、灰皿３に置かれた煙草の煙を吸入する口である。
［排出口］
排出口１５は、本装置１の上部に設けられ、浄化フィルタ１７を通過した空気を排出する口である。
【００２３】
［ファン］
ファン１６ａは、吸入口１４上部に設けられ、吸入口１４から吸入した空気を本装置１内に送り込む。
ファン１６ｂは、浄化フィルタ１７の前段に設けられ、ファン１６ａより吸入力が強く、本装置１内の空気を浄化フィルタ１７に送り出す。ファン１６ｂの吸引力をファン１６ａより強くしているのは、吸入窓１８，１９からも空気を吸い込むことができるようにするためである。
尚、ファン１６は、遊技場の営業時間に合わせて、営業時間外になると、制御部１１が電源供給を停止してスリープ（休止）させるようにするとエネルギーを節約できる。
【００２４】
［浄化フィルタ］
浄化フィルタ１７は、活性炭、竹炭等、又は光触媒を用いたフィルタであり、煙草の臭い、煙成分等を除去する。本発明では、浄化フィルタの素材はなんであってもよく、電気を使うものであれば、電源１３から電力の供給を受けるようにする。
【００２５】
［吸入窓］
吸入窓１８ａ，１８ｂは、遊戯台２の表示画面２ａの左側面に設けられたもので、吸入窓１９ａ，１９ｂは、表示画面２ａの上部に設けられたもので、空気を吸入するものである。
吸入窓は図２では４つとなっているが、数を増やしてもよいし、開口のサイズも任意に設定することができる。
尚、吸入窓を左側面と上部に設けることで、空気の流れが図２で左斜め上方向に向かうことになり、側面だけ、上部だけにしか吸入窓を設けた場合に比べて格段に本装置１への空気の流入がよくなるものである。
【００２６】
［本装置の動作］
本装置１では、制御部１１の設定スイッチ１１ａがオンになると、ファン１６ａ，１６ｂを駆動して吸入口１４、吸入窓１８，１９から空気を吸い込み、タイマー１１ｄを処理部１１ｂが監視することで、期間設定テーブル１１ｃ′の特定期間が経過した場合に、表示部１２の特定ＬＥＤを点灯させるようになっている。遊技場の従業員は、表示部１２のＬＥＤ点灯の内容から浄化フィルタの使用状況及び交換時期を容易に知ることができるようになっている。
【００２７】
［処理］
次に、本装置における制御部１１の処理部１１ｂの処理動作について図５を参照しながら説明する。図５は、処理部の処理を示すフローチャートである。
処理部１１ｂは、図５に示すように、設定スイッチ１１ａがオンになったか否かを判定し（Ｓ１）、オンでなければ（Ｎｏの場合）、判定処理Ｓ１を繰り返す。
設定スイッチ１１ａがオンとなれば（Ｙｅｓの場合）、タイマー１１ｄを動作開始させる（Ｓ２）。
【００２８】
そして、処理部１１ｂは、タイマー１１ｄの値が記憶部１１ｃの期間設定テーブル１１ｃ′を参照して第１の期間を経過したか否かを判定し（Ｓ３）、第１の期間を経過していなければ（Ｎｏの場合）、判定処理Ｓ３を繰り返す。第１の期間を経過していれば（Ｙｅｓの場合）、第１のＬＥＤ１２ａを点灯させる指示を出力する（Ｓ４）。
【００２９】
次に、処理部１１ｂは、タイマー１１ｄの値が記憶部１１ｃの期間設定テーブル１１ｃ′を参照して第２の期間を経過したか否かを判定し（Ｓ５）、第２の期間を経過していなければ（Ｎｏの場合）、判定処理Ｓ５を繰り返す。第２の期間を経過していれば（Ｙｅｓの場合）、第２のＬＥＤ１２ｂを点灯させる指示を出力する（Ｓ６）。第２のＬＥＤ１２ｂを点灯させる際に、第１のＬＥＤ１２ａを消灯させるようにしてもよい。
【００３０】
更に、処理部１１ｂは、タイマー１１ｄの値が記憶部１１ｃの期間設定テーブル１１ｃ′を参照して第３の期間を経過したか否かを判定し（Ｓ７）、第３の期間を経過していなければ（Ｎｏの場合）、判定処理Ｓ７を繰り返す。第３の期間を経過していれば（Ｙｅｓの場合）、第３のＬＥＤ１２ｃを点灯させる指示を出力する（Ｓ８）。第３のＬＥＤ１２ｃを点灯させる際に、第２のＬＥＤ１２ｂを消灯させるようにしてもよい。
【００３１】
第３のＬＥＤ１２ｃが点灯したということは、浄化フィルタの交換時期となったことを示しているので、遊技場の従業員は、設定スイッチ１１ａをオフにして浄化フィルタの交換を行うことになるから、次に、設定スイッチ１１ａをオフにしたか否かを判定し（Ｓ９）、オフにならなければ（Ｎｏの場合）、その判定処理Ｓ９を繰り返す。設定スイッチ１１ａをオフであれば（Ｙｅｓの場合）、ＬＥＤを消灯させて処理を終了する。
【００３２】
［実施の形態の効果］
本装置によれば、遊戯台２の表示画面２ａの上部に設けた吸入窓１９及び側面の一方のみに設けた吸入窓１８から煙草の煙を吸い込むようにし、浄化フィルタ１７の使用状況及び交換時期を制御部１１で認識して表示部１２に表示するようにしているので、特定方向に空気の流れを作って煙草の煙を集めて吸入でき、また、遊技場の従業員は浄化フィルタ１７の使用状況及び交換時期を容易に知ることができる効果がある。
【００３３】
特に、本装置によれば、新台入れ替えによって遊戯台毎に設置時期が異なっていても、浄化フィルタの交換時期を個々に知ることができるので、フィルタ交換時期の管理を必要とせず、遊技場経営者の負担を軽減できる効果がある。
【産業上の利用可能性】
【００３４】
本発明は、遊戯台において煙草の煙を効率的に吸引でき、更に浄化用の交換フィルタを定期的に容易に交換できる浄化装置に好適である。
【図面の簡単な説明】
【００３５】
【図１】本発明の実施の形態に係る浄化装置の概略図である。
【図２】本装置の構成概略図である。
【図３】制御部の構成ブロック図である。
【図４】期間設定テーブルの概略図である。
【図５】処理部の処理を示すフローチャートである。
【符号の説明】
【００３６】
１…浄化装置（本装置）、  ２…遊戯台、  ３…灰皿、  １１…制御部、  １１ａ…設定スイッチ、  １１ｂ…処理部、  １１ｃ…記憶部、  １１ｃ′…期間設定テーブル、  １１ｄ…タイマー、  １１ｅ…接続部、  １２…表示部、  １３…電源、  １４…吸入口、  １５…排出口、  １６…ファン、  １７…浄化フィルタ、  １８…吸入窓、  １９…吸入窓、
【図１】
2007068608.tif 000003
【図２】
2007068608.tif 000004
【図３】
2007068608.tif 000005
【図４】
2007068608.tif 000006
【図５】
2007068608.tif 000007